(57)【要約】【課題】駐車位置と車または個人固有の電波発信機の発する固有電波信号とを対にして記憶しておく格納テーブルを備え、この固有電波信号を受信したときに対応する駐車位置を格納テーブルから検索して表示することを特徴とする駐車場内車両検索システムを提供することにある。【解決手段】この駐車場内車両検索システムは、車を駐車させる駐車場１０と、駐車場１０の駐車状況を表示する機能を備えている大型ディスプレィ２０と、駐車位置と車または個人固有の固有電波信号とを対にして記憶しておく格納テ−ブル３１を有しており、車の入退出時刻管理、駐車料金管理、空き情報管理等の機能を備えている駐車場システム３０と、車または個人固有の固有電波信号を発するオートロックキー４０等の電波発信機と、これらを相互接続するネットワーク１００とを備える。【選択図】      図１
2005018316.tif 000002
【特許請求の範囲】
【請求項１】
駐車位置と車または個人固有の電波発信機の発する固有電波信号とを対にして記憶しておく格納テーブルを備え、前記固有電波信号を受信したときに、対応する前記駐車位置を前記格納テーブルから検索して表示することを特徴とする駐車場内車両検索システム。
【請求項２】
車を駐車させる駐車場と、前記駐車場の駐車状況を表示する機能を備えている大型ディスプレィと、駐車位置と車または個人固有の固有電波信号とを対にして記憶しておく格納テ−ブルを有しており、車の入退出時刻管理、駐車料金管理、空き情報管理等の機能を備えている駐車場システムと、車または個人固有の前記固有電波信号を発する電波発信機と、これらを相互接続するネットワークとを備えることを特徴とする駐車場内車両検索システム。
【請求項３】
一方のセンサ−は駐車の有無を検知できうる機能を有し、他方のセンサ−は車または個人固有の前記固有電波信号を受信する機能を有する床下に２つの前記センサ−を埋め込み、且つ、両方の前記センサ−は前記ネットワ−クを介して前記駐車場システムに接続されている前記駐車場を備えることを特徴とする請求項２記載の駐車場内車両検索システム。
【請求項４】
前記電波発信機は、オートロックキーであることを特徴とする請求項１または２記載の駐車場内車両検索システム。
【請求項５】
駐車場に車がはいると、前記駐車場にセットされいてるセンサ−Ａが車の駐車を感知するステップと、駐車場システムの格納テ−ブルに駐車場番号が登録されるステップと、
車をロックするためにオートロックキーから前記キ−ロック信号を発信するステップと、前記駐車場のセンサ−Ｂにて前記キ−ロック信号を受信するステップと、前記キ−ロック信号を前記駐車場システムの前記格納テ−ブルに登録させるステップと、
車を前記駐車場から出す時、前記オートロックキーの前記キ−ロック信号を大型ディスプレィに向けて発信すると大型ディスプレィが受信するステップと、前記駐車場システムの前記格納テ−プルを検索するステップと、前記大型ディスプレィに駐車場所を表示するステップと、からなることを特徴とする駐車場内車両検索方法。
【請求項６】
駐車場に車がはいると、前記駐車場にセットされいてるセンサ−Ａが車の駐車を感知するステップと、駐車場システムの格納テ−ブルに駐車場番号が登録されるステップと、
車をロックするためにオートロックキーから前記キ−ロック信号を発信するステップと、前記駐車場のセンサ−Ｂにて前記キ−ロック信号を受信するステップと、前記キ−ロック信号を前記駐車場システムの前記格納テ−ブルに登録させるステップと、
車を前記駐車場から出す時、前記オートロックキーの前記キ−ロック信号を大型ディスプレィに向けて発信すると大型ディスプレィが受信するステップと、前記駐車場システムの前記格納テ−プルを検索するステップと、前記大型ディスプレィに駐車場所を表示するステップとを、コンピュータに実行させるためのプログラム。
【発明の詳細な説明】
【０００１】
【発明の属する技術分野】
本発明は駐車場内車両検索システム、その方法、及びこれらをコンピュータに実行させるためのプログラムに関する。
【０００２】
【従来の技術】
従来の駐車場コンピュータ管理システムは、屋内駐車場、屋外駐車場、路上駐車帯、無料駐車場等の管理を行う。各車両が駐車場施設に入場すると、車両およびナンバープレートの写真が車両識別のために撮影される。車両の外形がその駐車位置を特定するのに利用される。他の実施例では、地球規模位置探査システム（ＧＰＳ）が駐車位置を探知するのに利用される。可変メッセージ表示装置が空駐車スペースの情報をドライバーにリアルタイム提示する。このシステムは任意の駐車スペースに駐車した特定の車両の識別を行うことができる。システムは種々の検索条件に従って駐車場施設内の車両をコンピュータ検索することができる。システムは駐車状況および時間に基づいて、車両の有無に関する自動的通知を行うことができる。また、システムは駐車場施設内に駐車した任意の車両に対し車両盗難防止システムによる保護を提供することができる（例えば、特許文献１参照）。
【０００３】
【特許文献１】
特表２００２−５３６７３９号公報（［００１４］〜［００２１］、図１）
【０００４】
【発明が解決しようとする課題】
この従来の駐車場コンピュータ管理システムにおける問題点は、車両の外形がその駐車位置を特定するのに利用するために車両およびナンバープレートの写真を撮影する必要があり、また、地球規模位置探査システム（ＧＰＳ）が駐車位置を探知するのに利用される等、システムが大規模になり、高価である。
【０００５】
本発明の目的は、駐車位置と車または個人固有の電波発信機の発する固有電波信号とを対にして記憶しておく格納テーブルを備え、この固有電波信号を受信したときに対応する駐車位置を格納テーブルから検索して表示することを特徴とする駐車場内車両検索システム、その方法、及びこれらをコンピュータに実行させるためのプログラムを提供することにある。
【０００６】
【課題を解決するための手段】
本発明の駐車場内車両検索システムは、駐車位置と車または個人固有の電波発信機の発する固有電波信号とを対にして記憶しておく格納テーブルを備え、前記固有電波信号を受信したときに、対応する前記駐車位置を前記格納テーブルから検索して表示する。
【０００７】
また、本発明の駐車場内車両検索システムは、車を駐車させる駐車場と、前記駐車場の駐車状況を表示する機能を備えている大型ディスプレィと、駐車位置と車または個人固有の固有電波信号とを対にして記憶しておく格納テ−ブルを有しており、車の入退出時刻管理、駐車料金管理、空き情報管理等の機能を備えている駐車場システムと、車または個人固有の前記固有電波信号を発する電波発信機と、これらを相互接続するネットワークとを備える。
【０００８】
さらに、本発明の駐車場内車両検索システムは、一方のセンサ−は駐車の有無を検知できうる機能を有し、他方のセンサ−は車または個人固有の前記固有電波信号を受信する機能を有する床下に２つの前記センサ−を埋め込み、且つ、両方の前記センサ−は前記ネットワ−クを介して前記駐車場システムに接続されている前記駐車場を備える。
【０００９】
さらに、本発明の駐車場内車両検索システムは、前記電波発信機が、オートロックキーであることを特徴とする。
【００１０】
さらに、本発明の駐車場内車両検索方法は、駐車場に車がはいると、前記駐車場にセットされいてるセンサ−Ａが車の駐車を感知するステップと、駐車場システムの格納テ−ブルに駐車場番号が登録されるステップと、
車をロックするためにオートロックキーから前記キ−ロック信号を発信するステップと、前記駐車場のセンサ−Ｂにて前記キ−ロック信号を受信するステップと、前記キ−ロック信号を前記駐車場システムの前記格納テ−ブルに登録させるステップと、
車を前記駐車場から出す時、前記オートロックキーの前記キ−ロック信号を大型ディスプレィに向けて発信すると大型ディスプレィが受信するステップと、前記駐車場システムの前記格納テ−プルを検索するステップと、前記大型ディスプレィに駐車場所を表示するステップと、からなることを特徴とする。
【００１１】
さらに、本発明のコンピュータに実行させるためのプログラムは、駐車場に車がはいると、前記駐車場にセットされいてるセンサ−Ａが車の駐車を感知するステップと、駐車場システムの格納テ−ブルに駐車場番号が登録されるステップと、
車をロックするためにオートロックキーから前記キ−ロック信号を発信するステップと、前記駐車場のセンサ−Ｂにて前記キ−ロック信号を受信するステップと、前記キ−ロック信号を前記駐車場システムの前記格納テ−ブルに登録させるステップと、
車を前記駐車場から出す時、前記オートロックキーの前記キ−ロック信号を大型ディスプレィに向けて発信すると大型ディスプレィが受信するステップと、前記駐車場システムの前記格納テ−プルを検索するステップと、前記大型ディスプレィに駐車場所を表示するステップとを備える。
【００１２】
【発明の実施の形態】
次に、本発明の実施の形態について図面を参照して詳細に説明する。
【００１３】
本発明の一実施の形態をブロックで示す図１を参照すると、この実施の形態の駐車場内車両検索システムは、車を駐車させる駐車場１０と、各駐車場１０の駐車状況を表示する機能を備えている大型ディスプレィ２０と、駐車場システム３０と、オートロックキー４０等の車または個人固有の固有電波信号を発する電波発信機と、これらを相互接続するネットワーク１００とから構成されている。
【００１４】
駐車場１０は、一般駐車場の床下に２つのセンサ−を埋め込み、一方のセンサ−Ａは駐車の有無を検知できうる機能を有し、他方のセンサ−Ｂはオートロックキー信号を受信する機能を備えている。且つ、両方のセンサ−Ａ及びＢはネットワ−ク１００を介して駐車場システム３０に接続されている。
【００１５】
大型ディスプレィ２０は、各駐車場１０の駐車状況を表示する機能を備えており、且つ、該当する車が検知されるとランプが点滅する機能を備えている。また、この大型ディスプレィ２０は、通信機能を有しておりネットワ−ク１００を介して駐車場システム３０に接続されている。
【００１６】
駐車場システム３０は、ネットワ−ク１００を介して駐車場１０、大型ディスプレィ２０と接続されており、個々の装置と通信可能な機能を備えている。また、駐車位置と車または個人固有の固有電波信号とを対にして記憶しておく格納テ−ブル３１を有しており、車の入退出時刻管理、駐車料金管理、空き情報管理等の機能を備えている。
【００１７】
オートロックキー４０は、車のキ−で、固有電波信号を発することにより、車のドアオ−プン／ロック機能を有する。このオ−トロックキ−４０を操作することにより駐車場１０に備えてあるセンサ−Ｂと大型ディスプレィ２０への送信機能を備えている。
【００１８】
次に、図１に併せて、この実施の形態の動作を説明する図である図２と、駐車場レイアウトを示す図である図３と、大型ディスプレイの表示例を示す図である図４と、格納テーブルの一例を示す図である図５とを参照して、この実施の形態の動作について詳細に説明する。
【００１９】
駐車場１０に車がはいると（図３参照）（ステップＡ１）、駐車場１０にセットされいてるセンサ−Ａが車の駐車を感知し（ステップＡ２）、駐車場システム３０の格納テ−ブル３１に駐車場番号が登録される（図５参照）（ステップＡ３）。
【００２０】
車をロックするためオートロックキー４０からキ−ロック信号を発信する（ステップＡ４）ことにより、駐車場１０のセンサ−Ｂにてキ−ロック信号をキャッチし（ステップＡ５）、駐車場システム３０の格納テ−ブル３１にキ−ロック信号の種類が登録される（図５参照）（ステップＡ６）。
【００２１】
車を駐車場から出す時、オートロックキー４０のキ−信号（ステップＡ７）を大型ディスプレィ２０（図４参照）に向けて発信すると大型ディスプレィ２０が受信（ステップＡ８）し、駐車場システム３０の格納テ−プル３１を検索（ステップＡ９）し、大型ディスプレィ２０に駐車場所を表示する（ステップＡ１０）。これにより駐車場１０の駐車場所の確認（ステップＡ１１）が可能となる。
【００２２】
【発明の効果】
以上説明したように、本発明によれば、車両およびナンバープレートの写真を撮影する必要がなく、また、地球規模位置探査システム（ＧＰＳ）を駐車位置を探知するのに利用する必要もないので、システムが簡単で低価格であり、駐車場内で自分の車を探す手間が省ける効果がある。
【図面の簡単な説明】
【図１】本発明の一実施の形態の構成を示すブロック図である。
【図２】この実施の形態おける動作の一例を説明する図である。
【図３】この実施の形態の駐車場レイアウトを示す図である。
【図４】この実施の形態の大型ディスプレイの表示例を示す図である。
【図５】この実施の形態の格納テーブルの一例を示す図である。
【符号の説明】
１０    駐車場
２０    大型ディスプレィ
３０    駐車場システム
３１    格納テーブル
４０    オートロックキー
【図１】
2005018316.tif 000003
【図２】
2005018316.tif 000004
【図３】
2005018316.tif 000005
【図４】
2005018316.tif 000006
【図５】
2005018316.tif 000007